【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
所定の道路を利用する車両に搭載され、ＩＣカードが挿脱自在な無線式の車載機と、この車載機との無線通信あるいは前記車載機から脱着した前記ＩＣカード自体との通信にて前記ＩＣカードの利用者に対して前記道路の利用料金の収受を行なう路側機とを有する料金収受システムにおいて、
前記車載機と前記ＩＣカードとのアクセスが完了したときにアクセス完了情報を前記ＩＣカードに記録する手段と、
前記車載機が前記ＩＣカードにアクセスするときに前記アクセス完了情報を確認する手段と、
前記ＩＣカードが前記車載機に挿入されたとき、前記ＩＣカードに前記アクセス完了情報が記録されていないときは前記車載機から前記ＩＣカードを排出する手段と
を具備したことを特徴とする料金収受システム
【請求項２】
請求項１記載の料金収受システムにおいて、
前記アクセス完了情報が記録されていた場合、前記車載機からのアクセスを継続させると共に前記ＩＣカードから前記アクセス完了情報を消去する手段をさらに具備したことを特徴とする料金収受システム。
【請求項３】
車載機に挿脱自在に装着され、前記車載機を介した路側機との無線通信あるいは前記車載機から脱着されて直接前記路側機に装着されて所定の道路の利用料金の収受を行なうＩＣカードにおいて、
情報を記憶及び読出可能な記憶手段と、
前記車載機とのアクセスが完了したときに前記記憶手段にアクセス完了情報を書き込む手段と、
前記車載機からアクセスを開始するためのコマンドを受信する受信手段と、
前記受信手段により前記コマンドが受信されたときに前記記憶手段の記憶内容を確認する手段と、
前記記憶手段に前記アクセス完了情報が記録されていた場合、前記コマンドに対する応答を前記車載機に返信する応答返信手段と
を具備したことを特徴とするＩＣカード。
【請求項４】
請求項３記載のＩＣカードにおいて、
前記応答返信手段により応答が返信されたとき、前記記録手段から前記アクセス完了情報を消去する手段をさらに具備したことを特徴とするＩＣカード。
【請求項５】
車両に搭載され、ＩＣカードを挿脱自在に装着し、所定の道路の入口または出口に設置されている路側機と無線通信して前記所定の道路の利用料金の収受を行なう車載機において、
前記ＩＣカードにコマンドを送信する送信手段と、
前記送信手段により送信されたコマンドに対する前記ＩＣカードからの応答がないとき送信異常を確認する確認手段と、
前記確認手段が前記送信異常を確認したとき、前記ＩＣカードを排出する手段と
を具備したことを特徴とする車載機。
【請求項６】
車両に搭載され、ＩＣカードを挿脱自在に装着し、所定の道路の入口または出口に設置されている路側機と無線通信して前記所定の道路の利用料金の収受を行なう車載機において、
前記ＩＣカードが装着されたときにカード挿入コマンドを前記ＩＣカードに送信する第１の送信手段と、
前記第１の送信手段により送信されたカード挿入コマンドに対する前記ＩＣカードからの応答の有無で送信異常を確認する第１の確認手段と、
前記第１の確認手段により送信異常が確認されなかった場合、前記ＩＣカードへデータ読取コマンドを送信する第２の送信手段と、
前記第２の送信手段により送信されたデータ読取コマンドに対する前記ＩＣカードからの応答の有無で送信異常を確認する第２の確認手段と、
前記第１及び第２の確認手段のうちいずれか一方で送信異常が確認された場合、前記ＩＣカードを排出する手段と
を具備したことを特徴とする車載機。
【請求項７】
車両に搭載され、ＩＣカードを挿脱自在に装着し、所定の道路の入口または出口に設置されている路側機と無線通信して前記所定の道路の利用料金の収受を行なう車載機において、
前記ＩＣカードにカード読込コマンドを送信する送信手段と、
前記送信手段により送信されたカード読込コマンドに対する前記ＩＣカードからの応答の有無で送信異常を確認する確認手段と、
前記確認手段が送信異常を確認したとき、前記ＩＣカードを排出する手段と
を具備したことを特徴とする車載機。
【請求項８】
請求項５、６、７いずれか一記載の車載機において、
前記ＩＣカードを排出する手段に替えて、前記送信異常の場合、前記ＩＣカードの異常を報知する手段を具備したことを特徴とする車載機。
【請求項９】
車両に搭載され、ＩＣカードを挿脱自在に装着し、所定の道路の入口または出口に設置されている路側機と無線通信して前記所定の道路の利用料金の収受を行なう車載機において、
前記ＩＣカードの排出を指示する操作手段と、
前記操作手段により排出が指示された場合、前記ＩＣカードにカード排出コマンドを送信する送信手段と、
前記送信手段により送信されたカード排出コマンドに対する前記ＩＣカードからの応答の有無で送信異常を確認する確認手段と、
前記確認手段が送信異常を確認したとき、前記ＩＣカードの異常を報知しかつ前記ＩＣカードを排出する手段と
を具備したことを特徴とする車載機。
【請求項１０】
ＩＣカードを挿脱自在に装着した車載機との無線通信によりあるいは前記車載機から脱着された前記ＩＣカードとの通信により所定の道路の利用料金の収受を行なう路側機において、
前記ＩＣカードにコマンドを送信する送信手段と、
前記送信手段により送信されたコマンドに対する前記ＩＣカードからの応答の有無で送信異常を確認する確認手段と、
前記確認手段が送信異常を確認したとき、前記ＩＣカードを排出する排出手段及び前記ＩＣカードの異常を報知する報知手段の少なくともいずれか一方の手段と
を具備したことを特徴とする路側機。
【請求項１１】
所定の道路を利用する車両に搭載された無線式の車載機にＩＣカードを挿脱自在に装着し、前記車載機と路側機との間で無線通信あるいは前記車載機から脱着した前記ＩＣカードと前記路側機との通信にて前記ＩＣカードの利用者に対して前記道路の利用料金の収受を行なう料金収受方法において、
前記車載機と前記ＩＣカードとのアクセスが完了したときにアクセス完了情報を前記ＩＣカードに記録する工程と、
前記車載機が前記ＩＣカードにアクセスするときに前記アクセス完了情報を確認する工程と、
前記アクセス完了情報が記録されていないときは前記車載機から前記ＩＣカードを排出する工程及び前記ＩＣカードの異常を報知する工程の少なくともいずれか一方の工程と
を具備したことを特徴とする料金収受方法。
【請求項１２】
所定の道路を利用する車両に搭載された無線式の車載機とこの車載機に挿脱自在に装着されたＩＣカードとの間でコマンドの送受を行なうことで互いの正当性を確認する車両側機器確認方法において、
前記車載機から前記ＩＣカードへカード排出コマンドを送信する工程と、
前記カード排出コマンドが受信されたとき前記ＩＣカード内部の処理をクローズして、前記ＩＣカードから前記車載機へ前記カード排出コマンドに対する応答コマンドを返信する工程と、
前記車載機から前記ＩＣカードへアクセス開始用のカード挿入コマンドを送信する工程と、
前記カード挿入コマンドを受信した前記ＩＣカードの処理状態を確認する工程と、
前記ＩＣカードが既にオープン状態のときは前記車載機から前記ＩＣカードを排出する工程と
を具備したことを特徴とする車両側機器確認方法。
【請求項１３】
所定の道路を利用する車両に搭載され、ＩＣカードが挿脱自在な無線式の車載機と、この車載機との無線通信によりあるいは前記車載機から脱着されたＩＣカードとの通信により前記道路の利用料金の収受を行なう路側機とを有する料金収受システムにおいて、
前記車載機と前記ＩＣカードとのアクセスが完了したときにアクセス完了情報を前記ＩＣカードに記録する手段と、
前記車載機が前記ＩＣカードにアクセスするときに前記アクセス完了情報を確認する手段と、
前記ＩＣカードが前記車載機に挿入された際、前記ＩＣカードに前記アクセス完了情報が記録されていないときは前記ＩＣカードの異常を報知する手段と
を具備したことを特徴とする料金収受システム。
【請求項１４】
所定の道路を利用する車両に搭載され、ＩＣカードが挿脱自在な無線式の車載機と、この車載機との無線通信によりあるいは前記車載機から脱着されたＩＣカードとの通信により前記道路の利用料金の収受を行なう路側機とを有する料金収受システムにおいて、
前記車載機から前記ＩＣカードに送信されたコマンドに対する前記ＩＣカードからの応答がないとき異常と確認する確認手段と、
前記確認手段が異常を確認したときに異常を報知する手段とを具備したことを特徴とする料金収受システム。
【請求項１５】
ＩＣカードを挿脱自在に装着した車載機との無線通信によりあるいは前記車載機から脱着された前記ＩＣカードとの通信により所定の道路の利用料金の収受を行なう路側機において、
前記ＩＣカードに送信されたコマンドに対する前記ＩＣカードからの応答の有無で送信異常を確認する確認手段と、
前記確認手段が送信異常を確認したとき、前記ＩＣカードを排出する排出手段及び前記ＩＣカードの異常を報知する報知手段の少なくともいずれかの一方の手段と
を具備したことを特徴とする路側機。
【請求項１６】
所定の道路を利用する車両に搭載された無線式の車載機にＩＣカードを挿脱自在に装着し、前記車載機と路側機との間で無線通信あるいは前記車載機から脱着した前記ＩＣカードと前記路側機との通信にて前記ＩＣカードの利用者に対して前記道路の利用料金の収受を行なう料金収受方法において、
前記ＩＣカードにコマンドを送信する工程と、
送信された前記コマンドに対する前記ＩＣカードからの応答の有無により異常を確認する確認工程と、
前記確認工程で異常が確認されたとき、前記ＩＣカードを排出する工程及び前記ＩＣカードの異常を報知する工程の少なくともいずれかの一方の工程と
を具備したことを特徴とする料金収受方法。
【手続補正２】
【補正対象書類名】明細書
【補正対象項目名】００２２
【補正方法】変更
【補正の内容】
【００２２】
請求項８記載の発明の車載器は、請求項５、６、７いずれか一記載の車載機において、前記ＩＣカードを排出する手段に替えて、前記送信異常の場合、前記ＩＣカードの異常を報知する手段を具備したことを特徴としている。
【手続補正３】
【補正対象書類名】明細書
【補正対象項目名】００２４
【補正方法】変更
【補正の内容】
【００２４】
請求項１０記載の発明の路側機は、ＩＣカードを挿脱自在に装着した車載機との無線通信によりあるいは前記車載機から脱着された前記ＩＣカードとの通信により所定の道路の利用料金の収受を行なう路側機において、前記ＩＣカードにコマンドを送信する送信手段と、前記送信手段により送信されたコマンドに対する前記ＩＣカードからの応答の有無で送信異常を確認する確認手段と、前記確認手段が送信異常を確認したとき、前記ＩＣカードを排出する排出手段及び前記ＩＣカードの異常を報知する報知手段の少なくともいずれか一方の手段とを具備したことを特徴としている。
【手続補正４】
【補正対象書類名】明細書
【補正対象項目名】００２５
【補正方法】変更
【補正の内容】
【００２５】
請求項１１記載の発明の料金収受方法は、所定の道路を利用する車両に搭載された無線式の車載機にＩＣカードを挿脱自在に装着し、前記車載機と路側機との間で無線通信あるいは前記車載機から脱着した前記ＩＣカードと前記路側機との通信にて前記ＩＣカードの利用者に対して前記道路の利用料金の収受を行なう料金収受方法において、前記車載機と前記ＩＣカードとのアクセスが完了したときにアクセス完了情報を前記ＩＣカードに記録する工程と、前記車載機が前記ＩＣカードにアクセスするときに前記アクセス完了情報を確認する工程と、前記アクセス完了情報が記録されていないときは前記車載機から前記ＩＣカードを排出する工程及び前記ＩＣカードの異常を報知する工程の少なくともいずれか一方の工程とを具備したことを特徴としている。
【手続補正５】
【補正対象書類名】明細書
【補正対象項目名】００２６
【補正方法】変更
【補正の内容】
【００２６】
請求項１２記載の発明の車両側機器確認方法は、所定の道路を利用する車両に搭載された無線式の車載機とこの車載機に挿脱自在に装着されたＩＣカードとの間でコマンドの送受を行なうことで互いの正当性を確認する車両側機器確認方法において、前記車載機から前記ＩＣカードへカード排出コマンドを送信する工程と、前記カード排出コマンドが受信されたとき前記ＩＣカード内部の処理をクローズして、前記ＩＣカードから前記車載機へ前記カード排出コマンドに対する応答コマンドを返信する工程と、前記車載機から前記ＩＣカードへアクセス開始用のカード挿入コマンドを送信する工程と、前記カード挿入コマンドを受信した前記ＩＣカードの処理状態を確認する工程と、前記ＩＣカードが既にオープン状態のときは前記車載機から前記ＩＣカードを排出する工程とを具備したことを特徴としている。
請求項１３記載の発明の料金収受システムは、所定の道路を利用する車両に搭載され、ＩＣカードが挿脱自在な無線式の車載機と、この車載機との無線通信によりあるいは前記車載機から脱着されたＩＣカードとの通信により前記道路の利用料金の収受を行なう路側機とを有する料金収受システムにおいて、前記車載機と前記ＩＣカードとのアクセスが完了したときにアクセス完了情報を前記ＩＣカードに記録する手段と、前記車載機が前記ＩＣカードにアクセスするときに前記アクセス完了情報を確認する手段と、前記ＩＣカードが前記車載機に挿入された際、前記ＩＣカードに前記アクセス完了情報が記録されていないときは前記ＩＣカードの異常を報知する手段とを具備したことを特徴としているる。
請求項１４記載の発明の料金収受システムは、所定の道路を利用する車両に搭載され、ＩＣカードが挿脱自在な無線式の車載機と、この車載機との無線通信によりあるいは前記車載機から脱着されたＩＣカードとの通信により前記道路の利用料金の収受を行なう路側機とを有する料金収受システムにおいて、前記車載機から前記ＩＣカードに送信されたコマンドに対する前記ＩＣカードからの応答がないとき異常と確認する確認手段と、前記確認手段が異常を確認したときに異常を報知する手段とを具備したことを特徴としている。
請求項１５記載の発明の路側機は、ＩＣカードを挿脱自在に装着した車載機との無線通信によりあるいは前記車載機から脱着された前記ＩＣカードとの通信により所定の道路の利用料金の収受を行なう路側機において、前記ＩＣカードに送信されたコマンドに対する前記ＩＣカードからの応答の有無で送信異常を確認する確認手段と、前記確認手段が送信異常を確認したとき、前記ＩＣカードを排出する排出手段及び前記ＩＣカードの異常を報知する報知手段の少なくともいずれかの一方の手段とを具備したことを特徴としている。
請求項１６記載の発明の料金収受方法は、所定の道路を利用する車両に搭載された無線式の車載機にＩＣカードを挿脱自在に装着し、前記車載機と路側機との間で無線通信あるいは前記車載機から脱着した前記ＩＣカードと前記路側機との通信にて前記ＩＣカードの利用者に対して前記道路の利用料金の収受を行なう料金収受方法において、前記ＩＣカードにコマンドを送信する工程と、送信された前記コマンドに対する前記ＩＣカードからの応答の有無により異常を確認する確認工程と、前記確認工程で異常が確認されたとき、前記ＩＣカードを排出する工程及び前記ＩＣカードの異常を報知する工程の少なくともいずれかの一方の工程とを具備したことを特徴としている。
【手続補正６】
【補正対象書類名】明細書
【補正対象項目名】００２７
【補正方法】変更
【補正の内容】
【００２７】
請求項１、１１、１３記載の発明では、車載機とＩＣカードとのアクセスが完了したときにアクセス完了情報をＩＣカードに記録し、それ以外の場合はアクセス完了情報がＩＣカードに記録されない。そして、車載機がＩＣカードに新たにアクセスするときにアクセス完了情報を確認し、アクセス完了情報が記録されていなければ、車載機からＩＣカードを排出する。
【手続補正７】
【補正対象書類名】明細書
【補正対象項目名】００３２
【補正方法】変更
【補正の内容】
【００３２】
さらに、請求項５、８、１４記載の発明では、車載機は、ＩＣカードに送信したコマンドに対するＩＣカードからの応答の有無で送信異常を確認し、送信異常の場合、ＩＣカードを排出し、ＩＣカードの異常を報知するので、利用者は、車載機から自動的にＩＣカードが排出されたことと異常報知とで、車載機またはＩＣカードの異常を発見することができる。
【手続補正８】
【補正対象書類名】明細書
【補正対象項目名】００３６
【補正方法】変更
【補正の内容】
【００３６】
さらに、請求項１０、１５、１６記載の発明では、路側機は、ＩＣカードに送信したコマンドに対するＩＣカードからの応答の有無で送信異常を確認し、送信異常の場合、ＩＣカードを排出すると共に、ＩＣカードの異常を報知するので、収受員は、路側機からの報知で、路側機またはＩＣカードの異常を発見することができる。
【手続補正９】
【補正対象書類名】明細書
【補正対象項目名】００４３
【補正方法】変更
【補正の内容】
【００４３】
クローズシステムの路側機１の一つとしての入口車線側機器は、例えば高速道路のインターチェンジの入口ゲートの各入口ブース単位に設置されている。この入口車線側機器は、図２に示すように、各入口ブースの各車線前方の所定のエリア内に進入した車両Ｙを複数の車両検知機２１で進行方向に順次検知し大型車、普通車、小型車などといった車種を判定する車種判別装置２２と、この車種判別装置２２により判別された車種が通知されると、第１アンテナ２３で無線通信を開始して通信可能な車両Ｙに対して入口料金所番号や進入した時刻及び車線番号などの入口情報を送信する通行券自動発行装置２４と、入口ゲートを通過する車両Ｙと第２アンテナ２５での無線通信不能になる手前に設けられ、検知された車両Ｙを発進車として通行券自動発行装置２４へ通知する発進検知装置２６とから構成されている。第２アンテナ２５は第１アンテナ２３で正常に交信が終了した車両Ｙが発進検知装置２６の検知エリアに進入したことで通行券自動発行装置２５の指示に基づいて車載機（ＯＢＵ）３とのデータ送受を行う。この通信で送受されデータとしては、車種判別装置２２により判別された車種情報が車載器３に送られ、車載器３において予め登録されていた車種情報との比較結果が通行券自動発行装置２５へ戻される。通行券自動発行装置２４は上記各機器の制御を行うと共に、車載機３を搭載していない車両（以下非ＥＴＣ車と称す）やＥＴＣ車であってもＩＣカード５が使えない車両Ｙに対して従来同様に磁気カードの通行券を発行する。
【手続補正１０】
【補正対象書類名】明細書
【補正対象項目名】００４９
【補正方法】変更
【補正の内容】
【００４９】
ここで、このＥＴＣシステムの概要動作について説明する。以下、クローズシステムの動作例について説明する。まず、入口車線側について説明する。入口車線側、例えば高速道路のあるインターチェンジの入口ゲートへ向かう各車線（入口車線）では、各入口ブース前方に設置された車両検知機２１が車両Ｙの進入を検知すると、車種判別装置２２を通じて通行券自動発行機２４に検知情報が伝達される。
【手続補正１１】
【補正対象書類名】明細書
【補正対象項目名】００９０
【補正方法】変更
【補正の内容】
【００９０】
さらに、カード排出コマンドであれば（S114）、排出コマンドの受信処理を実行し、上記メモリにフラグを立てて、カード状態をクローズとする（S115）。
【手続補正１２】
【補正対象書類名】図面
【補正対象項目名】図９
【補正方法】変更
【補正の内容】
【図９】
1999184981.tif 000001